(57)【要約】【課題】  工程リードタイムが短く、加熱槽内の温度分布、雰囲気ガス濃度が、加熱槽内で常に安定して均一である加熱装置を供給する。【解決手段】  前工程から送り込まれてくる被加熱物３の搬入時間間隔に同期して、加熱室１への被加熱物の供給および加熱室からの被加熱物の排出を行うように、加熱室内の被加熱物を間歇搬送することによって、前工程と加熱工程との間における被加熱物の停滞を防止する。また、直加熱ヒータ７、８を用いた被加熱物の直伝導加熱が、加熱室に供給された直後の低温の被加熱物の急速な温度上昇を行う。さらに、被加熱物の加熱室への供給および加熱室からの排出の際に、加熱室を、加熱室の外部よりも陽圧に保ち、断熱室２の供給扉１３および排出扉１４と、加熱室の供給口１６および排出口１７とを同時に開けることのないように制御することによって、加熱室内に、加熱室を満たしている雰囲気ガスと成分および／または温度の異なる気体が流れ込むことを防止する。【選択図】図１
2005207692.tif 000002
【特許請求の範囲】
【請求項１】
被加熱物が供給される供給口と、前記被加熱物が排出される排出口とが形成された加熱室を備えた加熱装置であって、前記供給口から前記排出口まで前記被加熱物を搬送する搬送機構を有する加熱装置において、前記搬送機構が、前記被加熱物を前記供給口から前記排出口まで搬送する間に少なくとも２回の停止を伴う間欠搬送を行うことを特徴とする加熱装置。
【請求項２】
前記加熱室が、該加熱室を少なくとも部分的に覆う２重の槽の内部に形成されており、前記供給口および前記排出口が、該２重の槽のうちの内側の槽に形成されていることを特徴とする請求項１に記載の加熱装置。
【請求項３】
被加熱物が供給される供給口と、前記被加熱物が排出される排出口とが形成された加熱室を備えた加熱装置であって、前記供給口から前記排出口まで前記被加熱物を搬送する搬送機構を有する加熱装置において、前記加熱室が、該加熱室を少なくとも部分的に覆う２重の槽の内部に形成されており、前記供給口および前記排出口が、該２重の槽のうちの内側の槽に形成されていることを特徴とする加熱装置。
【請求項４】
前記被加熱物が前記供給口から前記排出口まで搬送される間中、前記供給口の近傍および前記排出口の近傍を除いて、前記加熱室が、実質的に一定の温度の、実質的に一定成分／濃度の雰囲気ガスで満たされていることを特徴とする請求項１から３のいずれかに記載の加熱装置。
【請求項５】
前記被加熱物を加熱する手段として、前記加熱室内に、加熱した雰囲気ガスを循環させる雰囲気ガス循環手段と、前記被加熱物に直接接触させて熱伝導によって前記被加熱物を加熱する直伝導加熱手段とを有することを特徴とする請求項１から４のいずれかに記載の加熱装置。
【請求項６】
前記被加熱物が前記供給口から前記加熱室内に供給されてから最初の停止期間に、該供給口から加熱室内に供給された被加熱物が、前記直伝導加熱手段を用いて加熱されることを特徴とする請求項５に記載の加熱装置。
【請求項７】
前記搬送機構による前記被加熱物の間欠搬送が、実質的に一定の時間の複数回の搬送および実質的に一定の時間の複数回の停止を伴って周期的に行われることを特徴とする請求項１、２、４から６のいずれかに記載の加熱装置。
【請求項８】
前記供給口および前記排出口が、開閉可能であり、それぞれ、前記被加熱物を前記加熱室内に供給および排出するときだけ開くことを特徴とする請求項１から７のいずれかに記載の加熱装置。
【請求項９】
前記供給口および／または前記排出口が開いているときに、前記加熱室を満たしている雰囲気ガスと同一成分の雰囲気ガスが前記加熱室に供給されていることを特徴とする請求項８に記載の加熱装置。
【請求項１０】
前記搬送機構が、前記加熱室を少なくとも部分的に覆う２重の槽間まで延びて形成されていることを特徴とする請求項２から９のいずれかに記載の加熱装置。
【請求項１１】
前記加熱室を少なくとも部分的に覆う２重の槽のうちの外側の槽に、該外側の槽の外側にある被加熱物を、前記２重の槽間の搬送機構の上に供給するときに開ける供給扉と、前記２重の槽間の搬送機構の上にある被加熱物を、前記外側の槽の外側に排出するための排出扉とが形成されていることを特徴とする請求項１０に記載の加熱装置。
【請求項１２】
前記供給扉および／または前記排出扉が開いているときには、前記供給口と前記排出口とが閉じていることを特徴とする請求項１１に記載の加熱装置。
【請求項１３】
前記供給口および／または前記排出口が開いているときには、前記供給扉と前記排出扉とが閉じていることを特徴とする請求項１１または１２に記載の加熱装置。
【請求項１４】
前記間欠搬送の１周期に等しい時間間隔をもって、前記被加熱物が搬入されてくることを特徴とする請求項７から１３のいずれかに記載の加熱装置。
【請求項１５】
前記供給口と前記排出口、および／または、前記供給扉と前記排出扉とが、同一の口、および／または、同一の扉で共用されていることを特徴とする請求項１から１４のいずれかに記載の加熱装置。
【請求項１６】
前記被加熱物を加熱する加熱時間が、１時間以上であることを特徴とする請求項１１から１５のいずれかに記載の加熱装置。
【請求項１７】
バーンインテスト、および／または、エージング処理、および／または、キュア処理、および／または、乾燥処理に用いられることを特徴とする請求項１から１６のいずれかに記載の加熱装置。
【発明の詳細な説明】
【技術分野】
【０００１】
本発明は、加熱装置に関し、特に長時間の加熱時間を必要とする被加熱物の加熱においても、工程リードタイムが短く、かつ、加熱室内の温度分布の均一性、雰囲気ガス濃度の均一性を安定して保つことのできる加熱装置に関するものである。
【背景技術】
【０００２】
半導体部品などの電子部品あるいはそれらの電子部品を用いた電子機器等の製造において、それらの電子部品や電子機器等を所定の温度において加熱処理したり乾燥処理したりする際に、恒温槽を用い、その恒温槽内に内部ヒータで加熱された温風を循環させる方法が、広く使用されている（例えば、特許文献１参照）。
【０００３】
図３は、温風循環により加熱を行う従来の加熱装置の断面図である。この加熱装置が、被加熱物の加熱を行っている際には、開閉式シャッタ１３０が紙面上方に引き上げられて開いており、雰囲気ガス加熱ヒータ１１１で加熱された高温の雰囲気ガスが、循環ファン１２１により循環して、エアフィルタ１３１を通過して、エアフィルタ１３１の前面に置かれた被加熱物（図示せず）を加熱した後、再度、雰囲気ガス加熱ヒータ１１１で加熱されて、循環ファン１２１により循環する。前工程から送り込まれた被加熱物を加熱室１０１内に供給する際には、供給／排出扉１１３を開けて被加熱物を加熱室１０１内に供給するが、それに先立って、供給／排出扉１１３を開けたときに作業者が熱風に曝されないように、開閉式排気ダンパー１２９を開け、開閉式シャッタ１３０を閉じてから、供給／排出扉１１３を開ける。次いで、被加熱物を加熱室１０１内に供給した後、供給／排出扉１１３を閉め、開閉式シャッタ１３０を開け、開閉式排気ダンパー１２９を閉じると、上述のような被加熱物への加熱が行われる。開閉式排気ダンパー１２９が開いている状態では、雰囲気ガス供給管１０９を通じて雰囲気ガスが供給されている。加熱室１０１から被加熱物を取り出すときにも、同様の工程が行われる。
【０００４】
このような加熱工程への前工程からの被加熱物の送りこみの間隔が、加熱時間より短い場合には、前工程からの被加熱物の待機時間を設け、特に加熱時間が長い場合には、現在行われている加熱工程が終了するまで被加熱物を溜めておいてから、まとめて加熱装置内に供給している。
【特許文献１】特開２００１−５６１４１号公報  （第３−４頁、図１−３）
【発明の開示】
【発明が解決しようとする課題】
【０００５】
第１の問題点は、工程リードタイムが長くなってしまうことである。上述のように、前工程から加熱工程への被加熱物の送りこみの間隔が、加熱時間より短い場合には、被加熱物を溜めておいてから、まとめて加熱装置内に供給しており、特に、長時間の加熱時間が必要な場合には、前工程と加熱工程との間で、被加熱物に大量の停滞時間が発生する。例えば、必要加熱保持時間（被加熱物が所定の温度に達してからの加熱時間）が５時間で、前工程からの被加熱物の送り込みの間隔が３０分の場合、加熱開始後、最初に前工程から送られてくる加熱待ちの被加熱物は、最低で４時間３０分〜５時間の停滞時間を必要とし、その必要加熱保持時間の５時間と合わせて、合計１０時間近いリードタイムがかかってしまう。また、加熱時間は、被加熱物の加熱装置への供給時の温度から必要加熱温度に上昇するまでの温度上昇時間と、必要加熱保持時間との合計である。被加熱物をまとめて加熱室内に供給すると、被加熱物の温度上昇に時間がかかってしまい、例えば、温度上昇時間に１時間３０分を要すると、それだけリードタイムが長くなる。そして、上述の加熱装置では、被加熱物の加熱装置への供給／排出時に、加熱室内の温度が低下するから、加熱室内の温度が所定の必要加熱温度に上昇するまで、さらにリードタイムが長くなる。
【０００６】
第２の問題点は、被加熱物内および被加熱物間の温度分布、雰囲気ガス濃度のばらつきが大きくなることである。上述のように、被加熱物の供給／排出時には、開閉式シャッタ１３０を閉じた状態で供給／排出扉１１３を開けるので、加熱室内の加熱された高温の雰囲気ガスに低温の空気が混入し、加熱室内に温度ばらつき、雰囲気ガス濃度ばらつきが発生する。この加熱室内の温度ばらつき、雰囲気ガス濃度ばらつきにより、特に被加熱物を加熱室にまとめて供給すると、被加熱物内および被加熱物間での温度ばらつき、雰囲気ガス濃度ばらつきが大きくなり、温度が低い部分は加熱条件から外れてしまったり、雰囲気ガス濃度の低い部分は酸化や吸湿等の品質不具合を生じる。
【０００７】
本発明は、上記課題に鑑みてなされたものであって、その目的は、長時間の加熱時間を必要とする加熱物の加熱においても、工程リードタイムが短く、加熱室内の温度分布の均一性、雰囲気ガス濃度の均一性を安定に保つことのできる加熱装置を供給することにある。
【課題を解決するための手段】
【０００８】
上記目的を達成するため、本発明によれば、被加熱物が供給される供給口と、前記被加熱物が排出される排出口とが形成された加熱室を備えた加熱装置であって、前記供給口から前記排出口まで前記被加熱物を搬送する搬送機構を有する加熱装置において、前記搬送機構が、前記被加熱物を前記供給口から前記排出口まで搬送する間に少なくとも２回の停止を伴う間欠搬送を行うことを特徴とする加熱装置、が提供される。
【０００９】
また、上記目的を達成するため、本発明によれば、被加熱物が供給される供給口と、前記被加熱物が排出される排出口とが形成された加熱室を備えた加熱装置であって、前記供給口から前記排出口まで前記被加熱物を搬送する搬送機構を有する加熱装置において、前記加熱室が、該加熱室を少なくとも部分的に覆う２重の槽の内部に形成されており、前記供給口および前記排出口が、該２重の槽のうちの内側の槽に形成されていることを特徴とする加熱装置、が提供される。
【発明の効果】
【００１０】
本発明に係る加熱装置は、前工程から送り込まれてくる被加熱物の搬入時間間隔に同期して、加熱室への被加熱物の供給および加熱室からの被加熱物の排出を行うように、加熱室内の被加熱物を間歇搬送するものであるから、前工程と加熱工程との間における被加熱物の停滞を防止することができ、それによって、工程リードタイムの短縮を可能にする。
【００１１】
また、本発明に係る加熱装置は、２重の槽の内部に加熱室が形成されているものであるから、被加熱物の加熱室への供給および加熱室からの排出の際に、加熱室を、加熱室の外部よりも陽圧に保ち、また、２つの槽の被加熱物の入口および出口を同時に開けることのないように制御することによって、加熱室内に、加熱室を満たしている雰囲気ガスと成分および／または温度の異なる気体が流れ込むことを防止でき、それによって、加熱室内の温度および雰囲気ガス濃度が加熱室内で常に均一に維持され、また、被加熱物内および被加熱物間の温度むらが防止され、加熱に要する消費エネルギーを最小に維持することが可能になるとともに、被加熱物の製品としての品質向上を図ることが可能になる。
【発明を実施するための最良の形態】
【００１２】
次に、本発明の実施の形態について、図面を参照して詳細に説明する。
図１は、本発明に係る加熱装置の断面図である。両側面に被加熱物の供給口１６および排出口１７が相対向するように形成された加熱槽３２の内部に、加熱室１が形成されている。加熱槽３２の外側には、断熱槽３３が配置されており、断熱槽３３と加熱槽３２との間に断熱室２が形成されている。断熱槽３３の上面には、シャッタ開閉機構２８が取り付けられており、このシャッタ開閉機構で供給口シャッタ２６および排出口シャッタ２７を上下させることによって、それぞれ、供給口１６および排出口１７を開閉させるようになっている。断熱槽３３の側面には、加熱槽３２の供給口１６および排出口１７に対向して、供給扉１３および排出扉１４が形成されており、それぞれ、被加熱物の断熱室２への供給、および、断熱室２からの排出の際に開けられる。また、断熱槽３３の下面を貫通して、加熱槽３２の下面に雰囲気ガス供給口を持つ雰囲気ガス供給管９が形成されている。雰囲気ガス供給管９から加熱室１に雰囲気ガスを供給することによって、加熱室１は、断熱室２および断熱室２の外部よりも陽圧に保たれる。断熱槽３３の下面には、さらに、加熱槽３２の供給口１６および／または排出口１７が開いているときに、雰囲気ガスを排出するための雰囲気ガス排出管１０が形成されている。
【００１３】
被加熱物３の搬送は、チェーンないしスチールベルト（以下、「チェーン」という）５、６、スプロケット１８、１９、２０、駆動モータ４よりなる駆動機構によって行われる。スプロケット１８、１９は、断熱室２内で、それぞれ、断熱槽３３の供給扉１３と加熱槽３２の供給口１６との間の下、断熱槽３３の排出扉１４と加熱槽３２の排出口１７との間の下に、回転自在に配置されている。チェーン５は、その両端で、スプロケット１８、１９の歯に噛み合っており、その上側（搬送側）が、供給口１６および排出口１７の下端近傍を通り、その下側（戻り側）が、加熱槽３２の両側面を貫通して、それぞれ、断熱室２内を直線状に延びている。スプロケット２０は、駆動モータ４によって駆動されて時計回り方向に回転する。スプロケット２０の回転運動は、チェーン６を介して、スプロケット１９に伝達される。したがって、駆動モータ４によってスプロケット２０が回転することによって、チェーン５が時計回り方向に回転して、チェーン５の上の被加熱物３を紙面左から右に移動させる。なお、供給口１６および排出口１７を閉じるために、それぞれ、供給口シャッタ２６および排出口シャッタ２７を下ろしたときに、供給口シャッタ２６および排出口シャッタ２７の底面は、搬送側のチェーン５の最上部に極く近接して停止する。また、チェーン５の戻り側が貫通している加熱槽３２の両側面の貫通口の内壁とチェーン５との間にも、チェーン５が自由に回転できるだけの隙間が形成されている。
【００１４】
加熱室１内で被加熱物３を加熱する方式として、加熱室１内に設置された雰囲気ガス加熱ヒータ１１により加熱された高温の雰囲気ガスを、加熱室１外に設置されたファン駆動モータ２２により駆動される、加熱室１内の循環ファン２１により攪拌して、加熱室１内を循環させる温風循環方式と、直加熱ヒータ７、８を被加熱物３の上下面にそれぞれ直接接触させる直伝導加熱方式とを併用している。直加熱ヒータ８は、上下駆動部１５によって上下動する。チェーン５は、チェーン５が静止しているときに、直加熱ヒータ８が、上下駆動部１５によって、直加熱ヒータ７に対向しながら、チェーン５よりも上に移動することができるような構造になっている。加熱室１内に供給された直後の被加熱物３は、直加熱ヒータ７と８との対向し合う面間に静止する。
【００１５】
図２（ａ）は、本実施の形態において使用した被加熱物３の正面図である。被加熱物３は、カセット２３に、複数の、ＩＣチップが樹脂封止されたリードフレーム２４を挿入したものである。図２（ｂ）、（ｃ）は、図２（ａ）のカセット２３に挿入されたリードフレームの１個の、それぞれ、平面図、側面図である。Ｃｕ合金などから成る金属シートのリードフレーム２４が、ＩＣチップを搭載後、モールド樹脂２５で樹脂封止されている。
【００１６】
次に、図１を参照して、本実施の形態に係る加熱装置の動作について、より詳細に説明する。
被加熱物３が、前工程から一定の時間間隔（以下、その間隔時間を「搬入間隔時間」という）、例えば３０分間隔で送り込まれてくると、断熱槽３３の供給扉１３が開き、被加熱物３が、断熱室２内でチェーン５上に置かれ、加熱室１への供給のために供給扉１３が開くのを待機する状態となる。このとき、チェーン５は静止しており、加熱槽３２の供給口１６、排出口１７は、それぞれ、供給口シャッタ２６、排出口シャッタ２７により閉じられており、したがって、加熱室１は、ほぼ密閉状態にある。被加熱物３が、断熱室２内で待機状態になると、供給扉１３が閉じる。供給扉１３および／または排出扉１４は、搬送機構１２が停止しており、かつ、供給口１６と排出口１７とが閉じられているときしか、開かないように制御されている。また、供給口１６および排出口１７は、通常は加熱室１内の雰囲気ガスが外部に流出しないようにどちらも閉じられており、上記の搬入間隔時間毎に被加熱物３を、それぞれ、加熱室１に供給および加熱室１から排出するときだけ、断熱室２の供給扉１３と排出扉１４とが閉じていることを条件に、開くように制御されている。また、搬送機構は、供給口１６および／または排出口１７が開いたときに、チェーン５が所定の距離（被加熱物３が、断熱室２内で待機する位置から、加熱室１内に供給された直後に静止する位置までの距離）だけ動き、その他の時間には停止する動作を繰り返す間歇搬送を行うように制御されている。この搬送方法は、搬送スピードを低くして常に連続的に搬送しなければならない連続搬送方法に比して、搬送に伴う消費エネルギーを少なく出来るという効果を持つ。
【００１７】
前回に被加熱物３を加熱室１に出し入れするために供給口１６および排出口１７を開けたときから所定の搬入間隔時間が過ぎると、再度、シャッタ上下機構２８が、供給口シャッタ２６および排出口シャッタ２７を駆動して、供給口１６および排出口１７を開ける。断熱室２の供給扉１３および排出扉１４は、閉じている。
【００１８】
次に、駆動モータ４が作動することによって駆動機構が始動し、チェーン５が、時計周り方向に回転する。それにつれて、断熱室２内でチェーン５上に待機状態にあった被加熱物３が、加熱室１の内部に移動を始める。同時に、加熱室１の最右端に位置して、全ての加熱処理を受け終わった被加熱物３が、断熱室２に移動を始める。断熱室２内にあった被加熱物３が、供給口１６を通過し、完全に加熱室１内に入り、直加熱ヒータ７と８とが対向し合っている面間に位置し、また、加熱室１の最右端に位置していた被加熱物３が、排出口１７を通過し、断熱室２内の所定の位置に達した時点で、駆動モータ４が作動を停止し、したがって、チェーン５の回転が停止する。
【００１９】
このとき、供給口１６および排出口１７を開けるに先立って、加熱室１内には、加熱室１を満たしている雰囲気ガスと同成分の雰囲気ガスが雰囲気ガス供給管９を通じて供給されている。供給された雰囲気ガスが、雰囲気ガス加熱ヒータ１１で加熱され、循環ファン２１で加熱室１内を均一に循環するため、加熱室１内は、断熱室２より陽圧となる。したがって、供給口１６および排出口１７を開けても、雰囲気ガスが、加熱室１から断熱室２内を通り、雰囲気ガス排出管１０から加熱装置外に流れ続けるため、加熱室１内に、加熱室１を満たしている雰囲気ガスと成分および／または温度の異なる気体が流れ込むことはなく、それゆえ、加熱室１内の温度および雰囲気ガス濃度が、加熱室１内で常に均一に維持される。また、加熱室１に流入してくる外気を加熱しなければならなくなるなどということもないために、加熱に要する消費エネルギーを最小に維持できる。
【００２０】
なお、前回に供給口１６および排出口１７を開けたときから所定の搬入間隔時間が過ぎたときに、全ての加熱処理を受け終わって加熱室１の最右端に位置する被加熱物３が存在しない場合には、加熱室１の排出口１７は、開かない。また、断熱室２内で待機状態にある被加熱物３が存在しない場合には、加熱室１の供給口１６は、開かない。しかしながら、加熱室１の排出口１７も供給口１６も開かない場合でも、駆動機構は、所定の搬入間隔時間毎に作動し、チェーン５上の被加熱物３を所定の距離だけ、供給口１６から排出口１７の方向に移動させる。
【００２１】
次に、チェーン５の停止後、シャッタ上下機構２８が、供給口シャッタ２６および排出口シャッタ２７を駆動して、供給口１６および排出口１７を閉じて、加熱室１を再びほぼ密閉状態にする。このとき、被加熱物３は、低温の断熱室２に保持されていた状態から高温の加熱室１に入ってきたばかりであるから、加熱室１内の雰囲気ガス温度より低温であり、したがって、そのままの状態では加熱室１内の雰囲気ガス温度を低下させる。それゆえ、加熱室１に入ってきたばかりの被加熱物３が早急に昇温されなければ、加熱室１内の温度の均一性が乱され、加熱室１内の被加熱物３が、不均一に加熱されてしまう。この問題を解消するために、上述の直伝導加熱方式が用いられる。即ち、加熱室１内に供給された直後の被加熱物３が、直加熱ヒータ７と８との対向し合う面間に静止して置かれると、直加熱ヒータ８が、上下駆動部１５によって上昇し、加熱室１内に供給された直後の被加熱物３の底面に接触した後、さらに上昇して、直加熱ブロック７との間に、その被加熱物３を挟みこみ、直加熱ブロック７とともに上下から直接接触熱伝導により加熱を行う。このように、直伝導加熱方式と温風循環方式との併用加熱により、加熱室１内に供給された直後の被加熱物３の温度が、速やかに上昇する。これによって、加熱室１内の雰囲気ガス温度の低下が防止される、あるいは、速やかに回復される。
【００２２】
ここで、被加熱物３の搬入間隔時間と必要加熱時間（所定の加熱温度での加熱に必要な時間）と、被加熱物３が供給口１６から加熱室１内に供給されてから、排出口１７から断熱室２に排出されるまでに、加熱室１内で、チェーン５による供給口１６から排出口１７への移動を停止される回数（および、実加熱時間）との関係について考える。例えば、最小必要加熱時間が３時間３０分で、停止時間が３０分であるとする。加熱室１内に供給された直後の被加熱物３が、全く時間を要することなく加熱室１内の温度まで上昇すれば、被加熱物３が停止される回数が７回となるように、即ち、加熱室１内に７個の被加熱物を収容できるように加熱槽３２を構成すれば、被加熱物３の搬入間隔時間毎に、１個の被加熱物を加熱室１に供給し、同時に、１個の被加熱物を加熱室１から排出することが可能である。しかしながら、加熱室１内に供給された直後の被加熱物３が、加熱室１内の温度まで上昇するには、必ず幾らかの時間を必要とするから、被加熱物３の搬入間隔時間毎に、１個の被加熱物を加熱室１に供給し、同時に、１個の被加熱物を加熱室１から排出するようにするには、被加熱物３が停止される回数は、最低、８回必要となる。上述の直伝導加熱方式と温風循環方式とを併用して加熱することによって最初の３０分間の間に、加熱室１内に供給された直後の被加熱物３が加熱室１内の温度まで上昇すれば、この回数は８回（実加熱時間：４時間）となる。加熱槽３２は、加熱室１内に８個の被加熱物を収容できるように構成される。それに反して、直伝導加熱方式を併用しなかったときに、最初の３０分間の間に、加熱室１内に供給された直後の被加熱物３が加熱室１内の温度まで上昇しなければ、この回数は９回以上（実加熱時間：４時間３０分以上）となる。加熱槽３２は、加熱室１内に９個以上の被加熱物を収容できるように構成されなければならない。したがって、上述の直伝導加熱方式と温風循環方式との併用加熱は、被加熱物３の停止回数（および、実加熱時間）を最小とするとともに、加熱槽３２を最もコンパクトな構成とする。
【００２３】
上述の直伝導加熱方式と温風循環方式との併用加熱によって、加熱槽３２に送り込まれてきた被加熱物３が加熱室１内と同温度まで昇温する時刻から、次に駆動機構が動き出す時刻までの間の任意の時刻に、直加熱ヒータ８が、上下駆動部１５によって駆動されて、搬送機構１２と干渉しない所定の位置まで下降する。これによって、直加熱ヒータ７と８との間に挟まれていた被加熱物３が、チェーン５上に戻される。
【００２４】
そして、前回に被加熱物３が前工程から送り込まれてから、所定の被加熱物の搬入間隔時間が過ぎると、再度、新しい被加熱物３が前工程から送り込まれてきて、上述の過程を繰り返す。この被加熱物３の前工程からの送り込みは、上述の直加熱ヒータ８の下降以前になることもあり得るし、以後になることもあり得る。
【００２５】
このようにして、被加熱物３が、停止と移動を所定の回数繰り返して搬送されると、被加熱物３は、最小必要加熱時間以上加熱されたことになり、排出口１７から断熱室２に排出される。被加熱物３が断熱室２に排出されると、搬送機構１２が停止し、排出口１７が閉じられ、そして、供給口１６と排出口１７とが閉じていることを条件に、排出扉１４が開かれ、断熱室２内の被加熱物３が、断熱室２の外に取り出されて、その被加熱物への加熱の全工程が終了する。
【００２６】
以上、本発明をその好適な実施の形態に基づいて説明したが、本発明の加熱装置は、上述した実施の形態のみに制限されるものではなく、本願発明の要旨を変更しない範囲で種々の変化を施した加熱装置も、本発明の範囲に含まれる。例えば、本発明の加熱装置においては、加熱室内の雰囲気ガスは、加熱室内で加熱されるのではなく、加熱された状態で加熱室に供給されてもよい。これにより、加熱室内にヒータおよび循環ファンを設置する必要がなくなり、循環ファンモータも設置しなくてよい。また、循環ファンによる温風循環方式に替わって、循環ファンおよび循環ファンモータを省いた熱対流方式が用いられてもよい。さらに、直伝導加熱としては、加熱ヒータが、被加熱物に直接、完全に触れていなくても、被加熱物に効率的に熱を伝導することができれば、被加熱物との間に、例えば０．１ｍｍ程度のスキマを持ってもよい。また、直伝導加熱は、ホットエアーの吹き付けによって行われてもよい。さらに、間歇搬送を行う際の被加熱物の１回の移動距離、停止時間には、動作に支障のない限りで一定の誤差（ばらつき）が許容される。また、被加熱物は、左右に対向し合っている供給口と排出口との間を直線状に搬送されるのではなく、円周上あるいは多角形の外周上を搬送されたり、折り返し搬送されたりしてもよく、これらによって、供給口と排出口とを、また、供給扉と排出扉とを共通化でき、供給口と排出口とのシャッタも共通化できる。
【００２７】
以上説明した本実施の形態の加熱装置は、例えば、半導体部品などの電子部品、それらの電子部品を用いた半導体装置、半導体モジュール、また、これらを搭載した電子機器等の製造において、４時間から２４時間の加熱を必要とするバーンインテスト、２時間から４８時間の加熱を必要とするエージング処理、４時間から８時間の加熱を必要とする熱硬化型樹脂のキュア処理や脱脂、吸湿といった乾燥処理に好適に用いられ、上述の効果を持つ。また、被加熱物は、前工程から製品１個単位で送り込まれるのではなく、例えば、ロット単位で供給されてもよい。また、加熱雰囲気ガスとしては窒素やヘリウム等の不活性ガスや、ドライエアでもよい。さらに、供給口や排出口および／または供給扉や排出扉の開閉の制御は、被加熱物が前工程から送り込まれてきたら、あらかじめプログラムされたステップに基づいてシーケンシャルになされてもよいし、なんらかの手段によって検知された、搬送機構上のどの位置に被加熱物が存在するかに関する情報に基づいてなされてもよいし、あるいは、それらを併用してなされてもよい。
【図面の簡単な説明】
【００２８】
【図１】本発明の実施の形態に係る加熱装置の断面図。
【図２】図１の被加熱物の正面図〔（ａ）〕と、被加熱物の一部の平面図〔（ｂ）〕と側面図〔（ｃ）〕。
【図３】従来の加熱装置の断面図。
【符号の説明】
【００２９】
１  加熱室
２  断熱室
３  被加熱物
４  駆動モータ
５、６  チェーン
７、８  直加熱ヒータ
９  雰囲気ガス供給管
１０  雰囲気ガス排気管
１１  雰囲気ガス加熱ヒータ
１３  供給扉
１４  排出扉
１５  上下駆動部
１６  供給口
１７  排出口
１８、１９、２０  スプロケット
２１  循環ファン
２２  ファン駆動モータ
２３  カセット
２４  リードフレーム
２５  樹脂モールド
２６  供給口シャッタ
２７  排出口シャッタ
２８  シャッタ開閉機構
３２  加熱槽
３３  断熱槽
【図１】
2005207692.tif 000003
【図２】
2005207692.tif 000004
【図３】
2005207692.tif 000005